【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
下記式（１）で示される構造を有するビスアゾ顔料。
【化１】
2008138136.tif 000001
（式（１）中、Ｃｐ１及びＣｐ２は、それぞれ独立に、カプラー残基を表す。）
【請求項２】
前記式（１）中のＣｐ１及びＣｐ２の少なくとも一方が、下記式（２）、（３）、（４）又は（５）で示されるカプラー残基である請求項１に記載のビスアゾ顔料。
【化２】
2008138136.tif 000002
（式（２）中、Ｘは、ベンゼン環と縮合して、置換若しくは無置換の芳香族炭化水素環、又は、置換若しくは無置換の芳香族複素環を形成するのに必要な残基を表し、Ｒ１及びＲ２は、それぞれ独立に、水素原子、置換若しくは無置換のアルキル基、置換若しくは無置換のアリール基、若しくは、置換若しくは無置換の複素環基、又は、Ｒ１とＲ２とが式（２）中の窒素原子を介して環状アミノ基を形成したものを表し、Ｚ１は、酸素原子又は硫黄原子を表し、ｍ１は、０又は１を表す。）
【化３】
2008138136.tif 000003
（式（３）中、Ｙは、置換若しくは無置換の２価の芳香族炭化水素環基、又は、置換若しくは無置換の２価の含窒素複素環基を表す。）
【化４】
2008138136.tif 000004
（式（４）中、Ｒ３は、水素原子、ハロゲン原子、シアノ基、カルボキシル基、アルコキシカルボニル基、カルバモイル基又はニトロ基を表し、Ｒ４は、置換若しくは無置換のアルキル基、又は、置換若しくは無置換のアリール基を表し、Ｒ５は、ハロゲン原子、置換若しくは無置換のアルキル基、置換若しくは無置換のアルコキシ基、シアノ基又はニトロ基を表し、ｌは、０以上２以下の整数を表し、ｌが２であるとき、Ｒ５は、相異なる基であってもよい。）
【化５】
2008138136.tif 000005
（式（５）中、Ｒ６及びＲ７は、それぞれ独立に、水素原子、置換若しくは無置換のアルキル基、置換若しくは無置換のアリール基、若しくは、置換若しくは無置換の複素環基、又は、Ｒ６とＲ７とが式（５）中の窒素原子を介して環状アミノ基を形成したものを表し、Ｚ２は、酸素原子又は硫黄原子を表し、ｍ２は、０又は１を表す。）
【請求項３】
前記式（１）中のＣｐ１及びＣｐ２が前記式（２）、（３）、（４）又は（５）で示されるカプラー残基である請求項２に記載のビスアゾ顔料。
【請求項４】
前記式（１）中のＣｐ１及びＣｐ２が前記式（５）で示されるカプラー残基である請求項３に記載のビスアゾ顔料。
【請求項５】
前記式（５）中のＲ６が水素原子であり、Ｒ７が置換若しくは無置換のフェニル基であり、Ｚ２が酸素原子である請求項４に記載のビスアゾ顔料。
【請求項６】
前記式（５）中のｍ２が１である請求項５に記載のビスアゾ顔料。
【請求項７】
前記式（１）中のＣｐ１及びＣｐ２が前記式（３）で示されるカプラー残基であり、前記式（３）中のＹが無置換のｏ−フェニレン基である請求項３に記載のビスアゾ顔料。
【請求項８】
支持体及び該支持体上に形成された感光層を有する電子写真感光体において、該感光層が、請求項１乃至７のいずれか一項に記載のビスアゾ顔料を含有することを特徴とする電子写真感光体。
【請求項９】
前記感光層が前記支持体側から電荷発生層及び電荷輸送層をこの順に積層してなる感光層であり、該電荷発生層が前記ビスアゾ顔料を含有する請求項８に記載の電子写真感光体。
【請求項１０】
請求項８又は９に記載の電子写真感光体、並びに、帯電手段、イメージ露光手段、現像手段及び転写手段を有する電子写真装置。
【請求項１１】
前記イメージ露光手段が、３８０ｎｍ以上５５０ｎｍ以下の発振波長を有する半導体レーザーを用いたイメージ露光手段である請求項１０に記載の電子写真装置。
【請求項１２】
請求項８又は９に記載の電子写真感光体と、帯電手段、現像手段及びクリーニング手段からなる群より選ばれる１つ以上の手段とを一体に支持し、電子写真装置本体に着脱自在であるプロセスカートリッジ。
【手続補正２】
【補正対象書類名】明細書
【補正対象項目名】０００６
【補正方法】変更
【補正の内容】
【０００６】
つまり、本発明によるビスアゾ顔料は、下記式（１）で示される構造を有することを特徴とする。
【手続補正３】
【補正対象書類名】明細書
【補正対象項目名】０００８
【補正方法】変更
【補正の内容】
【０００８】
（式（１）中、Ｃｐ１及びＣｐ２は、それぞれ独立に、カプラー残基を表す。）
【手続補正４】
【補正対象書類名】明細書
【補正対象項目名】０００９
【補正方法】変更
【補正の内容】
【０００９】
本発明による電子写真感光体は、支持体及び該支持体上に形成された感光層を有する電子写真感光体において、該感光層が、上述のビスアゾ顔料を含有することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明によるプロセスカートリッジは、上述の電子写真感光体と、帯電手段、現像手段及びクリーニング手段からなる群より選ばれる１つ以上の手段とを一体に支持し、電子写真装置本体に着脱自在であることを特徴とする。
【手続補正８】
【補正対象書類名】明細書
【補正対象項目名】００１３
【補正方法】変更
【補正の内容】
【００１３】
本発明による電子写真装置は、上述の電子写真感光体、並びに、帯電手段、イメージ露光手段、現像手段及び転写手段を有することを特徴とする。
【手続補正９】
【補正対象書類名】明細書
【補正対象項目名】００１８
【補正方法】変更
【補正の内容】
【００１８】
式（１）中、Ｃｐ１及びＣｐ２は、それぞれ独立に、カプラー残基を表す。Ｃｐ１及びＣｐ２のカプラー残基は、特に限定されないが、下記式（２）、下記式（３）、下記式（４）又は下記式（５）で示されるカプラー残基のいずれかであることが好ましく、さらに下記式（３）又は下記式（５）で示されるカプラー残基がより好ましい。
【手続補正１０】
【補正対象書類名】明細書
【補正対象項目名】００２０
【補正方法】変更
【補正の内容】
【００２０】
式（２）中、Ｘは、ベンゼン環と縮合して、置換若しくは無置換の芳香族炭化水素環、又は、置換若しくは無置換の芳香族複素環を形成するのに必要な残基を表す。ベンゼン環と縮合した置換若しくは無置換の芳香族炭化水素環、又は、置換若しくは無置換の芳香族複素環としては、下記の環が挙げられる。
【手続補正１１】
【補正対象書類名】明細書
【補正対象項目名】００２３
【補正方法】変更
【補正の内容】
【００２３】
式（２）中のＲ１及びＲ２は、それぞれ独立に、水素原子、置換若しくは無置換のアルキル基、置換若しくは無置換のアリール基、又は、置換若しくは無置換の複素環基を表す。また、Ｒ１とＲ２とは、式（２）中の窒素原子を介して環状アミノ基を形成してもよい。Ｚ１は、酸素原子又は硫黄原子を表し、ｍ１は、０又は１を表す。
【手続補正１２】
【補正対象書類名】明細書
【補正対象項目名】００２９
【補正方法】変更
【補正の内容】
【００２９】
式（３）中、Ｙは、置換若しくは無置換の２価の芳香族炭化水素環基、又は、置換若しくは無置換の２価の含窒素複素環基を表す。
【手続補正１３】
【補正対象書類名】明細書
【補正対象項目名】００３４
【補正方法】変更
【補正の内容】
【００３４】
なかでも、Ｙは、無置換のｏ−フェニレン基であることが好ましい。
【手続補正１４】
【補正対象書類名】明細書
【補正対象項目名】００３６
【補正方法】変更
【補正の内容】
【００３６】
式（４）中、Ｒ３は、水素原子、ハロゲン原子、シアノ基、カルボキシル基、アルコキシカルボニル基、カルバモイル基又はニトロ基を表す。また、Ｒ４は、置換若しくは無置換のアルキル基、又は、置換若しくは無置換のアリール基を表す。また、Ｒ５は、ハロゲン原子、置換若しくは無置換のアルキル基、置換若しくは無置換のアルコキシ基、シアノ基又はニトロ基を表す。ｌは、０以上２以下の整数を表し、ｌが２であるとき、Ｒ５は、相異なる基であってもよい。
【手続補正１５】
【補正対象書類名】明細書
【補正対象項目名】００４２
【補正方法】変更
【補正の内容】
【００４２】
式（５）中、Ｒ６及びＲ７は、それぞれ独立に、水素原子、置換若しくは無置換のアルキル基、置換若しくは無置換のアリール基、又は、置換若しくは無置換の複素環基を表す。また、Ｒ６とＲ７とは、式（５）中の窒素原子を介して環状アミノ基を形成してもよい。また、Ｚ２は、酸素原子又は硫黄原子を表し、ｍ２は、０又は１を表す。
【手続補正１６】
【補正対象書類名】明細書
【補正対象項目名】０１２１
【補正方法】変更
【補正の内容】
【０１２１】
図５に示す電子写真装置では、少なくとも電子写真感光体１、コロナ帯電器２及び現像手段４を容器３５に納めてプロセスカートリッジとし、そのプロセスカートリッジを電子写真装置本体のレールなどの案内手段３４ｉを用いて着脱自在に構成している。クリーニング器６は、容器３５内に配置しても配置しなくてもよい。